(57)【要約】【課題】　ＰＣＭＣＩＡ規格によるＰＣカードに、移動通信端末機の機能を追加してノートブック型コンピュータ用ＰＣカードと移動通信端末機とを兼用し得る移動通信用無線モデム端末機を提供しようとする。【解決手段】　音声通信のための機能が格納された本体１００と、該本体の側方にフォルダ型にヒンジ軸支された電源供給部３００と、該電源供給部と一緒に前記本体にヒンジ軸支されたディスプレー部２００とから構成されることで、　ノートブックと接続されない独立の状態では電源供給部を主電源とする移動通信端末機として使用され、ノートブックと接続される場合はノートブック用電源を主電源とするＰＣカードとして動作するように移動通信用無線モデム端末機が構成される。【選択図】　図１
2004056817.tif 000002
【特許請求の範囲】
【請求項１】
音声通信のための機能が格納された本体と、
　該本体の側方にフォルダ型にヒンジ軸支された電源供給部と、
　該電源供給部及び前記本体と一緒にヒンジ軸支されたディスプレー部とを包含して構成されることを特徴とする移動通信用無線モデム端末機。
【請求項２】
前記本体は、
　ＰＣＭＣＩＡタイプ２規格のＰＣカードであることを特徴とする請求項１記載の移動通信用無線モデム端末機。
【請求項３】
前記本体の先方端には、
　ノートブックと接続し得るコネクタが装着されることを特徴とする請求項１記載の移動通信用無線モデム端末機。
【請求項４】
前記移動通信用無線モデム端末機は、
　ノートブックとの接続状態によって動作モードが転換されることを特徴とする請求項１記載の移動通信用無線モデム端末機。
【請求項５】
前記動作モードは、
　ノートブックが接続されると無線モデムとして動作するＰＣカードモードと、
　ノートブックが接続されないと音声通話が可能な移動通信端末機モードとに転換されることを特徴とする請求項４記載の移動通信用無線モデム端末機。
【請求項６】
前記ディスプレー部は、
　使用者の選択により情報が入力されるタッチパッドを取り付けたＬＣＤ（Ｌｉｑｕｉｄ　Ｃｒｙｓｔａｌ　Ｄｉｓｐｌａｙ）であることを特徴とする請求項１記載の移動通信用無線モデム端末機。
【請求項７】
ＲＦ入力信号を処理するＲＦ部と、
　ディスプレー部と送受信する信号をインタフェースする使用者インタフェース部と、
　移動通信用無線モデム端末機を運用する各種データが格納されるメモリー部と、
　音声信号を処理するオーディオインタフェース部と、
　使用者インタフェース部を通して送受信する信号をＰＣＭＣＩＡ規格でインタフェースするＰＣＭＣＩＡインタフェース部と、
　前記各機能部間に送受信される信号を監視してそれに伴う動作を制御する制御部と、
　ノートブックと接続されて信号を送受信するコネクタとを包含して構成されることを特徴とする移動通信用無線モデム端末機。
【請求項８】
前記移動通信用無線モデム端末機は、
　ノートブックと接続しない場合、システムに電源を供給する電源供給部を更に包含して構成されることを特徴とする請求項７記載の移動通信用無線モデム端末機。
【請求項９】
前記ディスプレー部は、
　使用者の選択により情報が入力されるタッチパッドを取り付けたＬＣＤ（Ｌｉｑｕｉｄ　Ｃｒｙｓｔａｌ　Ｄｉｓｐｌａｙ）であることを特徴とする請求項７記載の移動通信用無線モデム端末機。
【請求項１０】
前記コネクタは、
　ＰＣＭＣＩＡ規格により６８ピンから構成されることを特徴とする請求項７記載の移動通信用無線モデム端末機。
【請求項１１】
前記コネクタは、
　ノートブックの接続状態によって電源供給部との連結経路を可変するスイッチと連結されることを特徴とする請求項７記載の移動通信用無線モデム端末機。
【請求項１２】
前記連結経路は、
　コネクタと電源供給部とを連結する経路と、
　外部からコネクタを通して入力される電源がシステムに直接連結される経路とから構成されることを特徴とする請求項１１記載の移動通信用無線モデム端末機。
【請求項１３】
前記ノートブックが接続される場合は、
　コネクタと電源供給部とを連結する経路及び外部電源を直接連結する経路が全て連結され、外部電源を主動作電源とすることを特徴とする請求項１１記載の移動通信用無線モデム端末機。
【請求項１４】
前記ノートブックが接続されない場合は、
　電源供給部の電源を主動作電源とすることを特徴とする請求項１１記載の移動通信用無線モデム端末機。
【請求項１５】
前記ノートブックは、
　コネクタの挿入によって接続されるソケットと、
　システム内部の駆動のための電源を供給すると共に、コネクタを通して移動通信用無線モデム端末機に電源を供給するノートブック用電源部と、
　コネクタを通して移動通信用無線モデム端末機の電源供給部を充電する充電部とを包含して構成されることを特徴とする請求項７記載の移動通信用無線モデム端末機。
【請求項１６】
前記ノートブック用電源部及び充電部は、
　移動通信用無線モデム端末機に接続された場合に電源を供給することを特徴とする請求項１５記載の移動通信用無線モデム端末機。
【発明の詳細な説明】
【技術分野】
【０００１】
　本発明は移動通信用無線モデム端末機に係るもので、詳しくは、ＰＣＭＣＩＡ規格によるＰＣカードを利用した移動通信端末機を、ノートブック型コンピュータ（以下、ノートブックと略称す）用無線モデムと兼用し得る移動通信用無線モデム端末機に関するものである。
【背景技術】
【０００２】
　一般に、移動通信端末機は、移動中の如何なるところで誰ともすぐ通信を行い得る装備であって、使用上の便利性により普及が拡張されて、多様な応用技術が開発されつつある。
【０００３】
　このような応用技術の一つが移動通信端末機を利用してデータ通信を行うことであって、ノートブックのモデムポートに移動通信端末機のデータポートを接続することで、多様なデータ通信及びインターネット接続を可能にしている。前記ノートブックには、拡張用メモリー、データ通信用モデム及びラン（ＬＡＮ）等の周辺装置があるが、これらの周辺装置は、ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）カード又はＰＣカードを介してノートブックと連結される。
【０００４】
　前記ＰＣＭＣＩＡカード又はＰＣカードは、メモリー及び入出力集積回路に関する標準を促進するため、１９８９年に組織されたＰＣＭＣＩＡ産業団体が公布した標準に基づいている。特に、１９９３年のＰＣＭＣＩＡ２．１標準規格によれば、前記カードの大きさは横５４×縦８５．６ｍｍであり、接続コネクタは６８ピンである。
【０００５】
　このようなＰＣカードは、その厚さによって大きく３種に分類し得るが、タイプ１は主に拡張用外部メモリーに使用されるもので厚さは３．３ｍｍであり、タイプ２はモデム、ラン（ＬＡＮ）、スカジー（ＳＣＳＩ）カード及びサウンドカード等に多く使用されるもので厚さは５．０ｍｍであり、タイプ３はＡＴＡ（Ａｄｖａｎｃｅｄ　Ｔｅｃｈｎｏｌｏｇｙ　Ａｔｔａｃｈｍｅｎｔ）ハードディスクドライブに多く使用されるもので厚さは１０．５ｍｍである。
【０００６】
　図４は従来のノートブックが通信網に連結された構造を示した図面で、図示されたように、移動通信サービスに加入されて移動中にも通信可能な移動通信端末機１０と、該移動通信端末機１０を通して無線通信を行うノートブック２０と、前記移動通信端末機１０に内蔵されたデータポートがノートブック２０に連結されて相互データ通信を可能にする連結手段３０とから構成されている。
【０００７】
　前記移動通信端末機１０は、移動中に音声／文字情報のみならずマルチメディアサービスまでも受信することができるし、通常、データ通信を可能にするデータポートが包含されることで、該データポートを通してハンドフリー、運用プログラムの更新及びファックスのようなデータの送受信が可能である。
【０００８】
　前記ノートブック２０は携帯用パーソナルコンピュータであって、外部装置とのデータ通信を可能にするための多様な種類のモデムが内蔵又は装着される。
【０００９】
　前記連結手段３０は、前記移動通信端末機１０のデータポートとノートブック２０の該当モデムとを有線に連結するケーブルであって、移動通信端末機１０とノートブック２０とは、該ケーブルを介して無線で接続された他のコンピュータ又はデータ装置とのデータ通信を行い得ると共に、移動通信網を通してインターネット検索を行い得る。
【００１０】
　然しながら、このような従来のノートブックは、別途に備えられた連結手段を利用して移動通信端末機に接続しなければならないため、前記連結手段及び携帯電話を別に用意しなければならないという欠点がある。
【００１１】
　従って、このような欠点を解決するため、高周波部、ＣＤＭＡ処理部、メモリー及びインタフェース部を備えたＰＣカードを、専用移動通信端末機又はノートブックに挿入するものが知られている（特許文献１参照）。この技術では、前記ＰＣカードを専用移動通信端末機の外型に挿入して携帯電話として使用し、前記ＰＣカードをノートブックに挿入する場合は無線データ通信が可能になるようになっている。
【００１２】
　即ち、前記ＰＣカードを挿入して専用移動通信端末機を使用している際、ノートブックによってインターネットを利用しようとすると、前記ＰＣカードを取り外して該当のノートブックに挿入すると、該ノートブックはＰＣカードを自動に認識するため、使用者はノートブックを使用してインターネットを利用することができる。
【特許文献１】韓国特許公開公報第２００１−００８２４３２号明細書
【発明の開示】
【発明が解決しようとする課題】
【００１３】
　このような従来の移動通信用無線モデム端末機においては、ＰＣＭＣＩＡタイプ２のカードが該当工業規格により横５４×縦８５．６×厚さ５ｍｍであるため、高周波部、ＣＤＭＡ処理部、メモリー及びインタフェース部の全てを実装することは難しいという不都合な点がある。
【００１４】
　又、このようなＰＣカードは、その自体だけでは何の機能を有さず、別の専用端末機の外型を必要とするため、恒常、専用端末機の外型を別途に携帯しなければならないという不都合な点もある。
【００１５】
　従って、本発明は、このような従来の課題に鑑みてなされたもので、容易に折り畳むことができるディスプレー部及び電源供給部を使用すると共に、携帯電話の機能がＰＣカードに内蔵された移動通信用無線モデム端末機を提供することを目的とする。
【００１６】
　又、本発明の他の目的は、ＰＣカードの内部に電源供給部の充電／放電を選択し得るスイッチ機能を備えることで、ノートブックに装着し得る移動通信用無線モデム端末機を提供することにある。
【課題を解決するための手段】
【００１７】
　このような目的を達成するため、本発明に係る移動通信用無線モデム端末機においては、音声通信のための機能が格納された本体と、該本体の側方にフォルダ型にヒンジ軸支された電源供給部と、該電源供給部及び前記本体と一緒にヒンジ軸支されたディスプレー部とを包含して構成されることを特徴とする。
【００１８】
　又、本発明に係る移動通信用無線モデム端末機は、ＲＦ入力信号を処理するＲＦ部と、ディスプレー部と送受信する信号をインタフェースする使用者インタフェース部と、移動通信用無線モデム端末機を運用する各種データが格納されるメモリー部と、音声信号を処理するオーディオインタフェース部と、使用者インタフェース部を通して送受信する信号をＰＣＭＣＩＡ規格でインタフェースするＰＣＭＣＩＡインタフェース部と、前記各機能部間に送受信される信号を監視してそれに伴う動作を制御する制御部と、ノートブックに接続されて信号を送受信するコネクタとを包含して構成されることを特徴とする。
【００１９】
　本発明の移動通信用無線モデム端末機は、音声通信のための機能が格納された本体と、該本体の側方にフォルダ型にヒンジ軸支された電源供給部と、該電源供給部及び前記本体と一緒にヒンジ軸支されたディスプレー部とを包含して構成されることを特徴とする。
【００２０】
　上記本発明の移動通信用無線モデム端末機において、前記本体は、ＰＣＭＣＩＡタイプ２規格のＰＣカードであることが好ましい。
【００２１】
　上記本発明の移動通信用無線モデム端末機は、前記本体の先方端には、ノートブックと接続し得るコネクタが装着されることが好ましい。
【００２２】
　上記本発明の移動通信用無線モデム端末機において、前記移動通信用無線モデム端末機は、ノートブックとの接続状態によって動作モードが転換されることが好ましい。
【００２３】
　上記本発明の移動通信用無線モデム端末機は、前記動作モードは、ノートブックが接続されると無線モデムとして動作するＰＣカードモードと、ノートブックが接続されないと音声通話が可能な移動通信端末機モードとに転換されることが好ましい。
【００２４】
　上記本発明の移動通信用無線モデム端末機は、前記ディスプレー部は、使用者の選択により情報が入力されるタッチパッドを取り付けたＬＣＤ（Ｌｉｑｕｉｄ　Ｃｒｙｓｔａｌ　Ｄｉｓｐｌａｙ）であることが好ましい。
【００２５】
　また、本発明の移動通信用無線モデム端末機は、ＲＦ入力信号を処理するＲＦ部と、ディスプレー部と送受信する信号をインタフェースする使用者インタフェース部と、移動通信用無線モデム端末機を運用する各種データが格納されるメモリー部と、音声信号を処理するオーディオインタフェース部と、使用者インタフェース部を通して送受信する信号をＰＣＭＣＩＡ規格でインタフェースするＰＣＭＣＩＡインタフェース部と、前記各機能部間に送受信される信号を監視してそれに伴う動作を制御する制御部と、ノートブックと接続されて信号を送受信するコネクタとを包含して構成されることを特徴とする。
【００２６】
　上記本発明の移動通信用無線モデム端末機において、前記移動通信用無線モデム端末機は、ノートブックと接続しない場合、システムに電源を供給する電源供給部を更に包含して構成されることが好ましい。
【００２７】
　上記本発明の移動通信用無線モデム端末機において、前記ディスプレー部は、使用者の選択により情報が入力されるタッチパッドを取り付けたＬＣＤ（Ｌｉｑｕｉｄ　Ｃｒｙｓｔａｌ　Ｄｉｓｐｌａｙ）であることが好ましい。
【００２８】
　上記本発明の移動通信用無線モデム端末機において、前記コネクタは、ＰＣＭＣＩＡ規格により６８ピンから構成されることが好ましい。
【００２９】
　上記本発明の移動通信用無線モデム端末機において、前記コネクタは、ノートブックの接続状態によって電源供給部との連結経路を可変するスイッチと連結されることが好ましい。
【００３０】
　上記本発明の移動通信用無線モデム端末機において、前記連結経路は、コネクタと電源供給部とを連結する経路と、外部からコネクタを通して入力される電源がシステムに直接連結される経路とから構成されることが好ましい。
【００３１】
　上記本発明の移動通信用無線モデム端末機において、前記ノートブックが接続される場合は、コネクタと電源供給部とを連結する経路及び外部電源を直接連結する経路が全て連結され、外部電源を主動作電源とすることが好ましい。
【００３２】
　上記本発明の移動通信用無線モデム端末機において、前記ノートブックが接続されない場合は、電源供給部の電源を主動作電源とすることが好ましい。
【００３３】
　上記本発明の移動通信用無線モデム端末機において、前記ノートブックは、コネクタの挿入によって接続されるソケットと、システム内部の駆動のための電源を供給すると共に、コネクタを通して移動通信用無線モデム端末機に電源を供給するノートブック用電源部と、コネクタを通して移動通信用無線モデム端末機の電源供給部を充電する充電部とを包含して構成されることが好ましい。
【００３４】
　上記本発明の移動通信用無線モデム端末機において、前記ノートブック用電源部及び充電部は、移動通信用無線モデム端末機に接続された場合に電源を供給することが好ましい。
【発明の効果】
【００３５】
　本発明に係る移動通信用無線モデム端末機においては、移動通信端末機及びＰＣカードを一体に構成することで、ＰＣカード及び移動通信端末機を別に携帯する必要がないため、経済的であるだけでなく携帯及び使用が極めて便利であるという効果がある。
【発明を実施するための最良の形態】
【００３６】
　以下、本発明の実施の形態について、図面を参照して説明する。
【００３７】
　図１は本発明に係る移動通信用無線モデム端末機を示した図面で、図示されたように、本体としてのＰＣカード１００と、該ＰＣカード１００の側方にヒンジ軸支されたディスプレー部２００と、前記ＰＣカード１００及び前記ディスプレー部２００と一緒にヒンジ軸支された電源供給部３００とから構成されている。
【００３８】
　ここで、前記ＰＣカード１００の規格は、タイプ２として横５４×縦８５．６×厚さ５ｍｍであり、移動通信端末機として機能するに必要な全ての機能が前記ＰＣカード１００に包含されることで本体として構成されている。前記ＰＣカード１００が移動通信端末機として機能するに必要な主部品としてのディスプレー部２００及び電源供給部３００は、本体としてのＰＣカード１００の側方にフォルダ（ｆｏｌｄｅｒ）型に装着され、それらディスプレー部２００及び電源供給部３００はヒンジによって回動されるため、使用者の必要に応じて自由自在に開閉される。
【００３９】
　且つ、前記ディスプレー部２００は、タッチパッドから構成されてキーパッドなしで入出力機能が遂行され、前記本体１００の先方端には他の周辺装置と連結するためのコネクタ１７０が装着され、該コネクタ１７０は、ＰＣカードの規格に定義されたように６８ピンコネクタになっている。
【００４０】
　又、このようなコネクタ１７０の６８ピンに対応して、前記ノートブック４００にはソケット４１０が形成され、該ソケット４１０に前記コネクタ１７０の６８ピンが全て挿合されるようになっている。
【００４１】
　図２は本発明に係るＰＣカードを利用した移動通信端末機の構成を示したブロック図で、本発明に係る移動通信用無線モデム端末機にノートブックが接続された状態が示されている。図示されたように、本発明に係る移動通信用無線モデム端末機は、移動通信用無線モデム端末機の各機能部を監視及び制御する制御部１１０と、移動通信送受信用高周波信号を処理するＲＦ（ｒａｄｉｏ　ｆｒｅｑｕｅｎｃｙ）部１２０と、使用者の選択により情報が入力及び表示されるディスプレー部２００と、該ディスプレー部２００を通して入力される情報をインタフェースする使用者インタフェース部１３０と、移動通信端末機を運用する各種プログラム及びデータが格納されるメモリー部１４０と、外部との音声通信を可能にするための音声信号を処理するオーディオインタフェース部１５０と、前記使用者インタフェース部１３０に連結され、入力された信号をＰＣＭＣＩＡ規格の信号でインタフェースするＰＣＭＣＩＡインタフェース部１６０と、該ＰＣＭＣＩＡインタフェース部１６０の信号を外部装置と送受信するためにノートブック４００に接続されるコネクタ１７０と、移動通信用無線モデム端末機に電源を供給する電源供給部３００とから構成される。
【００４２】
　且つ、前記ノートブック４００は、前記コネクタ１７０に連結されるソケット４１０と、該ソケット４１０を通して伝送される信号をインタフェースして送受信するノートブック用インタフェース部４２０と、前記ソケット４１０を通して前記移動通信用無線モデム端末機に動作電源を供給すると共に、ノートブックに動作電源を供給するノートブック用電源部４３０と、前記ソケット４１０を通して移動通信用無線モデム端末機に接続された電源供給部３００を充電する充電部４４０とを包含して構成される。
【００４３】
　又、前記制御部１１０は、移動通信用無線モデム端末機がノートブック４００と連結された状態では無線モデムとして動作するように制御し、オーディオインタフェース１５０によって音声信号を送受信する場合は移動通信端末機として動作するように制御する。
【００４４】
　又、前記ディスプレー部２００は、タッチパッドを包含するＬＣＤ（Ｌｉｑｕｉｄ　Ｃｒｙｓｔａｌ　Ｄｉｓｐｌａｙ）から構成され、前記使用者インタフェース部１３０は、使用者がディスプレー部２００を通して入力するダイヤル信号、検索信号及び送受信制御信号等を受信して制御部１１０に伝送すると共に、移動通信用無線モデム端末機の運用状態を前記ディスプレー部２００に表示する。
【００４５】
　又、前記メモリー部１４０は、前記制御部１１０が各機能部を制御するために必要なプログラム又はデータを格納し、制御部１１０の要求に応じて格納されたプログラム及びデータを活性化して出力する。
【００４６】
　又、前記オーディオインタフェース部１５０は、前記移動通信用無線モデム端末機が移動通信端末機として使用される場合に送受信される音声信号を処理し、前記ＰＣＭＣＩＡインタフェース部１６０は、前記移動通信用無線モデム端末機が無線モデムとして使用される場合に必要であり、前記使用者インタフェース部１３０を介して制御部１１０と接続される。
【００４７】
　且つ、前記ＰＣＭＣＩＡインタフェース部１６０は、データ通信用信号をＰＣＭＣＩＡ規格で処理してコネクタ１７０を通して他の接続装置に伝送する。ここで、前記コネクタ１７０は６８ピンであり、ノートブック４００のソケット４１０に接続される。
【００４８】
　又、前記ノートブック４００のソケット４１０は、前記移動通信用無線モデム端末機のコネクタ１７０を通して印加される信号をノートブック用インタフェース部４２０に伝送し、前記ノートブック４００から印加される各種信号及び電源をコネクタ１７０を通して移動通信用無線モデム端末機に伝送する。
【００４９】
　又、前記ノートブック用電源部４３０は、ノートブック４００の各機能部を動作させるための基本電源を供給すると共に、ソケット４１０によって接続される移動通信用無線モデム端末機に電源を供給し、前記充電部４４０は、前記ノートブック用電源部４３０が移動通信用無線モデム端末機に電源を供給する間、移動通信用無線モデム端末機の電源供給部３００を充電する。このとき、前記ノートブック用電源部４３０及び充電部４４０は、夫々ソケット４１０のピンに連結され、該ソケット４１０のピンは、前記コネクタ１７０の該当ピンと接続される。
【００５０】
　図３は本発明に係る移動通信用無線モデム端末機とノートブックとが接続された場合の構成を示した図面で、図示されたように、前記移動通信用無線モデム端末機は、コネクタ１７０と電源供給部３００とを連結するスイッチ１８０を包含して構成される。該スイッチ１８０は、前記移動通信用無線モデム端末機がノートブック４００に連結される状態を自動に感知して動作する。
【００５１】
　即ち、前記移動通信用無線モデム端末機とノートブック４００とが連結される場合は、前記スイッチ１８０のａ−ｂ端子が連結されるために、前記スイッチ１８０は、前記ノートブック用電源部４３０から印加される動作電源を移動通信用無線モデム端末機に供給すると共に、充電部４４０から印加される電源は前記電源供給部３００に供給することで、前記移動通信用無線モデム端末機の電源供給部３００を充電する。
【００５２】
　然しながら、前記移動通信用無線モデム端末機がノートブック４００と連結されない場合は、前記スイッチ３００のａ−ｃ端子が連結されることで、ノートブック用電源部４３０と短絡されるために、前記電源供給部３００から出力される動作電源が前記移動通信用無線モデム端末機の各機能部に供給され、前記移動通信用無線モデム端末機は移動通信端末機として動作する。
【００５３】
　以下、本発明に係る移動通信用無線モデム端末機の動作について詳細に説明する。
【００５４】
　まず、前記移動通信用無線モデム端末機を利用して無線データ通信を行う方法について説明する。ＰＣカード１００において、移動通信用無線モデム端末機のディスプレー部２００及び電源供給部３００を開放した後、ＰＣカード１００のコネクタ１７０をノートブック４００のソケット４１０に接続する。前記移動通信用無線モデム端末機のスイッチ１８０がａ−ｂ状態で連結されることで、移動通信用無線モデム端末機はノートブック４００の電源を動作電源として使用するようになり、使用者の操作によってＰＣカードモードとして動作する。
【００５５】
　前記移動通信用無線モデム端末機が移動通信端末機として使用される場合は、一般のフォルダ型移動通信端末機と同様に、ディスプレー部２００を開放した状態でタッチパッドを操作する。このとき、前記移動通信用無線モデム端末機は、コネクタ１７０にノートブック４００のソケット４１０が接続されていないことを感知することで移動通信端末機モードに転換され、電源供給部３００の電源を動作電源として使用する。
【００５６】
　前記移動通信用無線モデム端末機は、ＰＣカードモードでも移動通信端末機として使用することができるし、前記移動通信用無線モデム端末機が無線データ通信を遂行しないときは、ディスプレー部及び別の移動通信端末機用ヘッドセットを利用して音声通話をすることもできる。
【００５７】
　以上に説明したように、本発明の移動通信用無線モデム端末機は、音声通信のための機能が格納された本体１００と、該本体の側方にフォルダ型にヒンジ軸支された電源供給部３００と、該電源供給部と一緒に前記本体にヒンジ軸支されたディスプレー部２００とから構成されることで、ノートブックと接続されない独立の状態では電源供給部を主電源とする移動通信端末機として使用され、ノートブックと接続される場合はノートブック用電源を主電源とするＰＣカードとして動作するように移動通信用無線モデム端末機が構成される。
【図面の簡単な説明】
【００５８】
【図１】本発明に係る移動通信用無線モデム端末機の外観を示した図面である。
【図２】本発明に係る移動通信用無線モデム端末機の構成を示した図面である。
【図３】本発明に係る移動通信用無線モデム端末機のスイッチを示したブロック図である。
【図４】従来のノートブックのデータ送受信方法を示した説明図である。
【符号の説明】
【００５９】
　１００　ＰＣカード
　１７０　コネクタ
　２００　ディスプレー部
　３００　電源供給部
　４００　ノートブック
　４１０　ソケット
　４２０　ノートブック用インタフェース部
　４３０　ノートブック用電源部
　４４０　充電部
【図１】
2004056817.tif 000003
【図２】
2004056817.tif 000004
【図３】
2004056817.tif 000005
【図４】
2004056817.tif 000006